(57)【特許請求の範囲】
【請求項１】
吊りロープを介してつるべ式に連結された乗りかごと釣り合い重りが昇降路内を互いに相反する方向に昇降するエレベータ装置において、前記乗りかご又は釣り合い重りの枠体の上部に案内子を設け、この案内子を介して前記吊りロープを垂直方向から横方向へ転向した状態で乗りかご又は釣り合い重りの幅方向に沿って配置して前記枠体に固定したことを特徴とするエレベータ装置。
【請求項２】
前記乗りかご又は釣り合い重りの枠体の下部に前記昇降路の床面に設置された緩衝器が嵌入可能な凹みを設けたことを特徴とする請求項１に記載のエレベータ装置。
【発明の詳細な説明】
【０００１】
【発明の属する技術分野】
本発明は、つるべ式のエレベータ装置に係り、特に昇降路の全高寸法を大きくすることなく、乗りかご又は釣り合い重りの昇降距離を大きくすることのできるエレベータ装置に関する。
【０００２】
【従来の技術】
一般につるべ式のエレベータは、巻上機に巻きつけられた吊りロープの両端側に乗りかごと釣り合い重りがそれぞれ吊下げられており、巻上機が駆動されることにより、吊りロープを介して乗りかごと釣り合い重りが昇降路内を互いに相反する方向に昇降するようになっている。
【０００３】
乗りかごおよび釣り合い重りは、それぞれ昇降路内に設けられたガイドレールにより案内され、それぞれの下方には、これら乗りかご又は釣り合い重りが何らかの原因で降下して床面に衝突する際の衝撃を緩和するために緩衝器が設けられている。
【０００４】
図4（ａ）および（ｂ）は一般的なつるべ式エレベータ装置における釣り合い重りの構成を示す正面図および側面図である。釣り合い重り１は枠体２内に重り３を積み重ねて収納して構成され、図示しないガイドレールに案内されて昇降路４内を昇降する。この釣り合い重り１は、吊りロープ５により吊下げられる。吊りロープ５は先端部に吊り金具５ａが取り付けられており、この吊り金具５ａを枠体２の上部２ａに垂直方向に沿って挿入して枠体２に固定されている。
【０００５】
図４はエレベータの運転中における釣り合い重り１の昇降工程で、釣り合い重り１が最下部の位置に停止した状態を示している。釣り合い重り１の下方の床面６には枠体２の下部２ｂ面に対向するように緩衝器７が設けられている。この状態は、吊り合い重り１の枠体２の下部２ｂと緩衝器７との間に、両者が衝突しないためのクリアランスδが必要であり、また釣り合い重り１が緩衝器７に衝突した際の減速用ストロークを加味して緩衝器７に高さ寸法Ａが必要であることから、釣り合い重り１が最下部に位置するときには床面６から高さ寸法Ｃ１を確保する必要があることを示している。
【０００６】
また釣り合い重り１の枠体２の上部２ａには吊りロープ５を固定するために剛体からなる吊り金具５ａが設けられており、この吊り金具５ａが吊りロープを案内するシーブ（図示せず）に巻きこまれないようするために、高さ寸法Ｂを確保する必要があるので、これらの寸法Ｂ，Ｃ１が釣り合い重り１の昇降工程に対する高さ寸法を大きくし、必要な昇降距離を確保できないために昇降路４の全高寸法を大きくしていた。
【０００７】
【発明が解決しようとする課題】
上記のように、従来の釣り合い重り１は、高さ寸法Ｂ，Ｃ１を確保しているために、昇降路の全高寸法に対して昇降距離が減少していた。このため、建物の都合等で、釣り合い重りに大きな昇降距離を確保する必要が生じた場合には、昇降路の全高寸法を大きくする等の処置をとらなければならなかった。
【０００８】
本発明は、上述の問題点を考慮してなされたもので、昇降路全高が必要寸法に対して不足しているときでも、昇降路に対して大きな変更処置を取ることなく、釣り合い重り等の昇降距離を確保することのできるエレベータ装置を提供することを目的とする。
【０００９】
【課題を解決するための手段】
本発明は上記の課題を解決するために、釣り合い重りを構成する枠体の上部に案内子を設け、この案内子を介して吊りロープを垂直方向から横方向へ転向した状態で乗りかご又は釣り合い重りの幅方向に沿って配置して、この吊りロープを枠体に固定するようにし、吊りロープを枠体に固定するために必要な高さ寸法を低減できるように構成したところに特徴を有する。
【００１０】
また本発明は上記の課題を解決するために、上記特徴に加えて、釣り合い重りを構成する枠体の下部に緩衝器が嵌入できる凹みを設け、この凹みにより緩衝器と衝突しないようにして釣り合い重りを緩衝器の上面より下方の位置まで吊下げられるようにし、釣り合い重りと床面との間の寸法を低減できるように構成したところに特徴を有してもよい。
【００１１】
【発明の実施の形態】
以下、本発明の実施の形態を説明する。図１は一般的なつるべ式エレベータの概略構成を示す図である。図1において、つるべ式のエレベータは、昇降路４頂部の機械室４ａに設けられた巻上機８に吊りロープ５が巻きつけられ、この吊りロープ５の両端側に乗りかご９と釣り合い重り１１がそれぞれ吊下げられる。そして巻上機８が駆動されることにより、吊りロープ５を介して乗りかご９と釣り合い重り１１が昇降路４内を互いに相反する方向に昇降するようになっている。
【００１２】
乗りかご９および釣り合い重り１１は、それぞれ昇降路４内に設けられたガイドレール（図示せず）により案内され、それぞれの下方には、これら乗りかご９又は釣り合い重り１が何らかの原因で降下して床面等に衝突する際の衝撃を緩和するために緩衝器７，１０が設けられている。
【００１３】
図２（ａ）および（ｂ）は図１に示すエレベータ装置において、釣り合い重り１１部分に本発明を適用した場合の一実施の形態を示す正面図および側面図である。図３（ａ）は図２の主要部を拡大して示す正面図、図３（ｂ）は図３（ａ）のＸ−Ｘ線断面図である。
【００１４】
図２および図３において、釣り合い重り１１は枠体１２内に重り１３を積み重ねて収納して構成されている。枠体１２の上部１２ａには吊りロープ５の本数に対応した個数の案内子１３が取り付けられている。これら案内子１３は枠体１２の幅方向に沿って延び、間隔をおいて対向配置された軸１４により回転自在に支持されて枠体１２の上部１２ａに取り付けられている。なお、１４ａは抜け止め用の割りピンである。
【００１５】
複数本の吊りロープ５は、枠体１２の上部１２ａにおいて垂直方向から挿入され、各吊りロープ５毎に案内子１４に巻き掛けるようにして横方向に転向した状態に配置される。そして各吊りロープ５の先端部の吊り金具５ａは、枠体１２の上部１２ａの内側に設けた受け部材１５を貫通するように取り付けられ、ナット１６により長さ調整が可能なように枠体１２に固定されている。ロープ５相互はこの間隔δＲが僅少であるが、互いに案内子１３からロープ外れ止めの役割をもつ。
このように、吊りロープ５の吊り金具５ａを枠体１２の内側に横方向沿って配置することにより、図４に示す従来の構成における高さ寸法Ｂが不要となる。これにより、釣り合い重り１１がシーブの近くまで上昇することができるので、釣り合い重り１１の昇降工程における最上部の位置を上昇させることができ、ひいては昇降距離を大きくすることができる。
【００１６】
一方、釣り合い重り１１の枠体１２の下部１２ｂには緩衝器７が嵌入できる凹み１７が設けられている。この凹み１７は、図２に示すように釣り合い重り１１が最下部の位置に停止した状態で、その内側に嵌入される緩衝器７と凹み１７上方の枠体１２との間に、両者が衝突しないためのクリアランスδが確保でき、また釣り合い重り１１が緩衝器７に衝突した際の減速用ストロークを加味した緩衝器７の高さ寸法Ａが確保できれば良い。従って、釣り合い重り１１が最下部に位置するときには、床面６から高さ寸法Ｃ２（Ｃ２<Ｃ１）が確保できれば良く、釣り合い重り１１を床面６の近くまで降下させることができて、その分昇降距離を大きくすることができる。
【００１７】
このように、釣り合い重り１１は枠体１２の高さ寸法を変えることなく、昇降工程を大きくすることができるので、昇降路全高寸法が必要寸法に対して不足しているときでも、昇降路に対して大きな変更処置を取ることなく、昇降距離を確保することができる。
【００１８】
なお、上記実施の形態では、本発明を釣り合い重りに適用したばあいについて説明したが、乗りかごに対しても同様に適用することができる。
【００１９】
【発明の効果】
以上説明したように、本発明によれば、乗りかごや釣り合い重りの高さ寸法を大きく変更することなく、昇降路寸法の全高寸法不足が補えるので、建物の高さ寸法不足に容易に対応できるエレベータ装置を提供することができる。
【図面の簡単な説明】
【図１】一般的なつるべ式エレベータ装置を示す概略構成図である。
【図２】（ａ）および（ｂ）は、つるべ式エレベータ装置に本発明を適用した一実施の形態を示す正面図および側面図である。
【図３】（ａ）および（ｂ）は図２の主要部を拡大して示すもので、（ａ）は（ｂ）のＸ−Ｘ線断面図、（ｂ）は正面図である。
【図４】（ａ）および（ｂ）は、従来のエレベータ装置の釣り合い重りを示す正面図および側面図である。
【符号の説明】
１，１１…釣り合い重り
２，１２…枠体
２ａ，１２ａ…枠体の上部
２ｂ，１２ｂ…枠体の下部
３…重り
４…昇降路
５…吊りロープ
５ａ…吊り金具
６…床面
７，１０…緩衝器
８…巻上機
９…乗りかご
１３…案内子
１４…軸
１５…受け部材
１６…ナット
【図１】
0004107863.tif 000002
【図２】
0004107863.tif 000003
【図３】
0004107863.tif 000004
【図４】
0004107863.tif 000005